(57)【要約】      （修正有）【課題】保持角度の調節が可能であり、且つ充分な剛性を持つ携帯情報端末用スタンドを提供する。【解決手段】携帯情報端末用スタンド１は、鉛直面に対して傾斜した状態で携帯情報端末の表面側又は裏面側を支持する背凭れ板１０と、背凭れ板を後方から支持すると共にその下部が前後方向にのびることで脚部２２となる左右一対の第１フレーム２０と、第１フレームの間に掛け渡される前後一対の第２フレーム３０と、第１フレームの間に掛け渡されて携帯情報端末の下部を支持する座板４０とを備える。第１フレームは座板を貫通して座板の表面から上方に突出するストッパー２３を前後方向に複数備える。携帯情報端末の下部をストッパーに接触させることで携帯情報端末が座板表面を滑ることなく保持される。また、ストッパーを変更することで携帯情報端末の傾斜角度を調節できる。【選択図】図１
0003231752.tif 000002
【実用新案登録請求の範囲】
【請求項１】
鉛直面に対して傾斜した状態で携帯情報端末の表面側又は裏面側を支持する背凭れ板と、前記背凭れ板を後方から支持すると共にその下部が前後方向にのびることで脚部となる左右一対の第1フレームと、左右一対の前記第1フレームの間に掛け渡される前後一対の第2フレームと、左右一対の前記第1フレームの間に掛け渡されて前記携帯情報端末の下部を支持する座板とを備えており、
前記第1フレームが前記座板を貫通して前記座板の表面から上方に突出するストッパーを前後方向に複数備えており、
前記背凭れ板、前記第1フレーム、前記第2フレーム及び前記座板が平板から成ることを特徴とする携帯情報端末用スタンド。
【請求項２】
前記背凭れ板、前記第1フレーム、前記第2フレーム及び前記座板が嵌合用の凸部及び／又は凹部を備えることを特徴とする請求項1に記載の携帯情報端末用スタンド。
【考案の詳細な説明】
【技術分野】
【０００１】
本考案は、スマートフォンやタブレット型端末を立て掛けて保持する携帯情報端末用スタンドに関する。
【背景技術】
【０００２】
スマートフォンやタブレット型端末等の携帯情報端末を机やショーケースの上に置く際にはスタンドが使用される。
例えば特許文献1〜3には一枚の板状の部材を折り曲げて立体的に展開させて成るスタンドが開示されている。
【先行技術文献】
【特許文献】
【０００３】
【特許文献１】実用新案登録第3183829号公報
【特許文献２】実用新案登録第3174433号公報
【特許文献３】実用新案登録第3184866号公報
【考案の概要】
【考案が解決しようとする課題】
【０００４】
しかし、上記従来技術では以下の問題がある。
携帯情報端末の表示画面を見たり、内臓カメラで周囲を撮影したりする際に携帯情報端末の保持角度を調節することができないという問題がある。
また、板状の部材を折り曲げて立体的に展開させる構造ではタブレット型端末等の重量が大きい端末を保持できる程度の剛性を得られないという問題もある。
【０００５】
本考案は上記問題に鑑み、保持角度の調節が可能であり、且つ充分な剛性を持つ携帯情報端末用スタンドを提供することを目的とする。
【課題を解決するための手段】
【０００６】
本考案の携帯情報端末用スタンドは、鉛直面に対して傾斜した状態で携帯情報端末の表面側又は裏面側を支持する背凭れ板と、前記背凭れ板を後方から支持すると共にその下部が前後方向にのびることで脚部となる左右一対の第1フレームと、左右一対の前記第1フレームの間に掛け渡される前後一対の第2フレームと、左右一対の前記第1フレームの間に掛け渡されて前記携帯情報端末の下部を支持する座板とを備えており、前記第1フレームが前記座板を貫通して前記座板の表面から上方に突出するストッパーを前後方向に複数備えており、前記背凭れ板、前記第1フレーム、前記第2フレーム及び前記座板が平板から成ることを特徴とする。
また、前記背凭れ板、前記第1フレーム、前記第2フレーム及び前記座板が嵌合用の凸部及び／又は凹部を備えることを特徴とする。
【考案の効果】
【０００７】
本考案では座板の表面から上方に突出するストッパーを前後方向に複数備える。携帯情報端末の下部をストッパーに接触させることで携帯情報端末が座板の表面を滑ることなく保持される。また、携帯情報端末の下部を接触させるストッパーを変更することで携帯情報端末の傾斜角度を用意に調節できる。
また、携帯情報端末用スタンドを構成する全ての部品、すなわち背凭れ板、第1フレーム、第2フレーム及び座板が平板から成るので充分な剛性を確保できる。
また、背凭れ板、第1フレーム、第2フレーム及び座板が嵌合用の凸部及び／又は凹部を備えており、これら凸部と凹部とを嵌合させるだけで携帯情報端末用スタンドを組み立てることができ、また、分解も容易である。
【図面の簡単な説明】
【０００８】
【図１】携帯情報端末用スタンドの斜視図(a)、正面図(b)、背面図(c)、側面図(d)及び平面図(e)
【図２】背凭れ板、第1フレーム、第2フレーム及び座板の正面図
【図３】携帯情報端末の傾斜角度を調節した状態を示す側面図(a)〜(c)
【図４】背凭れ板、第1フレーム、第2フレーム及び座板の正面図
【図５】大型のタブレット型端末を保持する場合の一例を示す正面図
【考案を実施するための形態】
【０００９】
以下、本考案の携帯情報端末用スタンドの実施の形態について説明する。
図1〜図3に示すように携帯情報端末用スタンド1は背凭れ板10、第1フレーム20、第2フレーム30及び座板40を備える。
【００１０】
背凭れ板10、第1フレーム20、第2フレーム30及び座板40の材質としてはプラスチック、木材又は金属が挙げられる。
背凭れ板10はほぼ長方形の平板から成り、鉛直面に対して傾斜した状態で携帯情報端末100の表面側又は裏面側を支持する。背凭れ板10は左右の端部に凹部11を備えており、この凹部11に第1フレーム20の凸部21を嵌合させることで背凭れ板10が第1フレーム20に固定される。
【００１１】
第1フレーム20は左右一対でほぼT字状の平板から成り、背凭れ板10を後方から支持すると共にその下部が前後方向にのびることで脚部22となる。
第1フレーム20は前側の脚部22から上方に突出するストッパー23を前後方向に複数備えている。
【００１２】
第2フレーム30は前後一対でほぼ棒状の平板から成り、左右一対の第1フレーム20の間に掛け渡される。第2フレーム30は左右の側面に凸部31を備えており、この凸部31を第1フレーム20の脚部22の凹部24に嵌合させることで第2フレーム30が第1フレーム20に固定される。
【００１３】
座板40はほぼ長方形の平板から成り、左右一対の第1フレーム20の間に掛け渡されて携帯情報端末100の下部を支持する。座板40は左右の端部に貫通孔41を備えている。ストッパー23が貫通孔41を貫通して座板40の表面から上方に突出することで座板40が第1フレーム20に固定されると共に、図3(a)に示すように携帯情報端末100の下部がストッパー23に引っ掛かるようになっている。ストッパー23を前後に複数設けることで図3(b)及び(c)に示すように携帯情報端末100の傾斜角度を調節することができる。
携帯情報端末100として大型のタブレット型端末101を保持する場合、図4に示すように背凭れ板10、第2フレーム30及び座板40を左右方向に大きくしたり、或いは図5に示すように2つの携帯情報端末用スタンド1を左右に並べたりすればよい。
【産業上の利用可能性】
【００１４】
本考案は、保持角度の調節が可能であり、且つ充分な剛性を持つ携帯情報端末用スタンドであり、産業上の利用可能性を有する。
【符号の説明】
【００１５】
1 携帯情報端末用スタンド
10 背凭れ板
11 凹部
20 第1フレーム
21 凸部
22 脚部
23 ストッパー
24 凹部
30 第2フレーム
31 凸部
40 座板
41 貫通孔
100 携帯情報端末
101 タブレット型端末
【図１】
0003231752.tif 000003
【図２】
0003231752.tif 000004
【図３】
0003231752.tif 000005
【図４】
0003231752.tif 000006
【図５】
0003231752.tif 000007